(57)【特許請求の範囲】
【請求項１】
コネクタが移動可能に設けてあり、フロント部材の挿入口を通して挿入された記録メディアが上記コネクタに接続され、その後の記録メディアの挿入に応じて上記コネクタが移動される記録メディア装置において、
上記フロント部材は、挿入された上記記録メディアの側面をガイドするガイド部を有する腕部を、上記挿入口が形成してある部分と一体的に有する構成であり、
上記コネクタは、挿入された上記記録メディアの側面と嵌合する嵌合部を有する構成であり、
上記コネクタは、上記腕部のガイド部によって案内されつつ挿入された上記記録メディアを介して上記挿入口に対して位置決めされる構成としたことを特徴とする記録メディア装置。
【請求項２】
請求項１に記載の記録メディア装置において、
上記腕部は、上記記録メディアが挿入される前の状態で、上記コネクタの一部が嵌合されて該コネクタの位置を規制する位置規制部を有する構成であり、
上記コネクタは、上記記録メディアが挿入される前の状態では、上記腕部の位置規制部によって位置を規制されて、上記挿入口に対して位置決めされる構成としたことを特徴とする記録メディア装置。
【発明の詳細な説明】
【０００１】
【発明の属する技術分野】
本発明は記録メディア装置に係り、特に記録メディアがフロントベゼルの挿入口を通して挿入されてコネクタと接続される構成の記録メディア装置においてコネクタの挿入口に対する位置を決める機構に関する。
【０００２】
【従来の技術】
図１４は従来の記録メディア装置１の概略構成を示す。記録メディア装置１は、記録メディアがフロントベゼルの挿入口を通して挿入されてコネクタと接続され、その後の記録メディアの挿入によってコネクタが後方に移動される構成であり、ベース部材２と、ベース部材２に取り付けてあるフロントベゼル３と、コネクタ４が取り付けてあり、ベース部材２上に支持されている記録メディアホルダ５とを有する。コネクタ４は、フロントベゼル３の挿入口３ａと同じ高さの位置に配置してある。記録メディア７は、フロントベゼル３の挿入口３ａを通してＹ１方向に挿入されて、コネクタ４と接続される。
【０００３】
フロントベゼル３の挿入口３ａを通して挿入された記録メディア７がコネクタ４と円滑に接続されるためには、コネクタ４の位置が、フロントベゼル３の挿入口３ａと同じ高さの位置に精度よく位置していることが必要である。
【０００４】
【発明が解決しようとする課題】
上記の記録メディア装置１においては、Ｚ１−Ｚ２方向上のコネクタ４の挿入口３ａに対する位置は、ベース部材２の寸法公差、フロントベゼル３の寸法公差、記録メディアホルダ５の寸法公差、フロントベゼル３のベース部材２への取り付けの精度、ホルダ５のベース部材２上への取り付けの精度等によって影響を受ける。即ち、コネクタ４の挿入口３ａに対する位置に影響を及ぼす要因が多く存在していた。よって、コネクタ４の挿入口３ａに対する位置を精度良く決めることが難しかった。
【０００５】
このため、各部品の精度及び組立ての精度によっては、フロントベゼル３の挿入口３ａを通して挿入された記録メディア７がコネクタ４と円滑に接続され難いことが起きる虞れがあった。また、Ｙ２方向へのイジェクト時に記録メディア７がフロントベゼル３の裏面にぶつかってしまうことが起きる虞れもあった。
【０００６】
コネクタ４の挿入口３ａに対する位置の精度を高くするには、ベース部材２の寸法公差、フロントベゼル３の寸法公差、記録メディアホルダ５の寸法公差、フロントベゼル３のベース部材２への取り付けの精度、ホルダ５のベース部材２上への取り付けの精度を特別に厳しくする必要があり、このようにすると記録メディア装置１の製造コストが相当に高くなってしまうという問題がある。
【０００７】
そこで、本発明は、上記課題を解決した記録メディア装置を提供することを目的とする。
【０００８】
【課題を解決するための手段】
請求項１の発明は、コネクタが移動可能に設けてあり、フロント部材の挿入口を通して挿入された記録メディアが上記コネクタに接続され、その後の記録メディアの挿入に応じて上記コネクタが移動される記録メディア装置において、
上記フロント部材は、挿入された記録メディアの側面をガイドするガイド部を有する腕部を、上記挿入口が形成してある部分と一体的に有する構成であり、
上記コネクタは、挿入された記録メディアの側面と嵌合する嵌合部を有する構成であり、
上記コネクタは、上記腕部のガイド部によって案内されつつ挿入された記録メディアを介して上記挿入口に対して位置決めされる構成としたものである。
【０００９】
コネクタがフロント部材と一体の腕部のガイド部によって案内されつつ挿入された記録メディアを介して挿入口に対して位置決めされる構成は、部品の公差を特別に厳しくしたり、組立てのばらつきを特別に厳しく抑えたりすることをしなくても、コネクタの挿入口に対する位置の精度を従来に比べて高くする。
【００１０】
請求項２の発明は、請求項１に記載の記録メディア装置において、
上記腕部は、上記記録メディアが挿入される前の状態で、上記コネクタの一部が嵌合されて該コネクタの位置を規制する位置規制部を有する構成であり、
上記コネクタは、上記記録メディアが挿入される前の状態では、上記腕部の位置規制部によって位置を規制されて、上記挿入口に対して位置決めされる構成としたものである。
【００１１】
腕部の位置規制部によって、記録メディアが挿入される前の状態における、コネクタの挿入口に対する位置が精度良く定まる。
【００１３】
コネクタがフロント部材と一体の腕部によって挿入口に対して位置決めされる構成は、部品の公差を特別に厳しくしたり、組立てのばらつきを特別に厳しく抑えたりすることをしなくても、コネクタの挿入口に対する位置の精度を従来に比べて高くする。記録メディアを利用しないため、記録メディアの寸法公差の影響も受けない。
【００１４】
【発明の実施の形態】
先ず、説明の便宜上、図１（Ａ）乃至（Ｇ）を参照して、本発明の一実施例になる記録メディア装置２０について概略的に説明する。Ｙ１が記録メディア１０を挿入する方向であり、Ｙ２が記録メディア１０を取り出す方向である。記録メディア装置２０は、例えばデジタルカメラ、コンピュータ等の電子機器に組み込まれて使用される。記録メディア１０は、図１０に示すように、略四角形の箱型形状であり、内部に情報を記録する半導体素子又は磁気ディスク等を有しており、挿入する方向の先端にコネクタ１１を有する構成である。記録メディア１０は、先端側にパッド端子の列を有する構成でもよい。
【００１５】
記録メディア装置２０は、記録メディア１０が挿入される挿入口２１が形成してあるフロントベゼル２２と、Ｙ１方向に移動可能に支持されており、挿入された記録メディア１０を保持する箱形状の記録メディアホルダ３０と、記録メディアホルダ３０のＹ１方向端の奥に設けてあり、上記コネクタ１１が接続されるコネクタ４０と、記録メディアホルダロック機構５０と、記録メディアホルダ移動機構６０と、蓋機構７０とを有する。蓋機構７０は、第１の蓋７１と、第２の蓋７７とを有する。コネクタ４０のＹ１方向側には、フレキシブルフラットケーブル８０が接続してある。
【００１６】
記録メディアホルダロック機構５０は、記録メディアホルダ３０をＹ１方向に移動しないようにロックしており、記録メディア１０が記録メディアホルダ３０内にコネクタ１１がコネクタ４０に接続されるまで挿入されたときにロックが解除される構成である。記録メディアホルダ移動機構６０は、Ｙ１方向に移動して位置Ｐ０を越えた記録メディアホルダ３０を位置Ｐ１まで移動させ、Ｙ２方向に移動して位置Ｐ０を越えた記録メディアホルダ３０を位置Ｐ２まで移動させる。第１の蓋７１は、記録メディア１０が収容されていないときに、挿入口２１を塞ぐ。第２の蓋７７は、記録メディア１０が収容されているときに、挿入口２１を塞ぐ。
【００１７】
記録メディア１０を収容する前の状態では、記録メディア装置２０は、図１（Ａ）に示す状態にある。記録メディアホルダ３０は位置Ｐ２に位置しており、ロック機構５０によってロックされている。第１の蓋７１が挿入口２１を塞いでいる。
【００１８】
図１（Ａ）に示すように、操作者は記録メディア１０を手で掴んで、コネクタ１１をＹ１側に向けて、挿入口２１を通して挿入し、第１の蓋７１を押して開いて、記録メディア装置２０内に挿入し、図１（Ｂ）に示すように、指で記録メディア１０の後端面１２を押して、記録メディア１０を強く押し込む。
【００１９】
この操作によって、先ず、図１（Ｂ）に示すように、コネクタ１１がコネクタ１１の相手方であるコネクタ４０のコネクタ部４２に接続され、続いて、ロック機構５０のロックが解除され、記録メディア１０が記録メディアホルダ３０及びコネクタ４０を押しつつ、記録メディア装置２０内に更に挿入され、記録メディアホルダ３０及びコネクタ４０がＹ１方向に移動される。
【００２０】
図１（Ｃ）に示すように記録メディアホルダ３０が位置Ｐ０を通り過ぎると、ホルダ移動機構６０が記録メディアホルダ３０を、図１（Ｄ）に示すようにＹ１方向に位置Ｐ１まで移動させる。コネクタ１１がコネクタ部４２に接続されているため、記録メディア１０は記録メディアホルダ３０と共にＹ１方向に移動されて記録メディア装置２０内に引き込まれ、全体が記録メディア装置２０内に収容される。また、第２の蓋７７が挿入口２１を塞ぐ。
【００２１】
この状態が、記録メディア１０が記録メディア装置２０内に装着された状態であり、この状態で、記録メディア１０に情報が書き込まれる。
【００２２】
情報の書き込みが終了して記録メディア１０を排出する場合には、操作者はイジェクト釦を押すイジェクト操作をする。イジェクト操作をすると、図１（Ｅ）に示すように、記録メディアホルダ３０がＹ２方向に移動され、第２の蓋７７が記録メディア１０によって押されて開かれ、記録メディア１０の後端面１２が挿入口２１から突き出す。記録メディアホルダ３０が位置Ｐ０を通り過ぎると、ホルダ移動機構６０が記録メディアホルダ３０を、図１（Ｆ）に示すようにＹ２方向に位置Ｐ２まで移動させる。
【００２３】
この状態で、操作者は、図１（Ｇ）に示すように、記録メディア１０のうち挿入口２１から突き出している部分１３を手で掴んで、Ｙ２方向に強く引く。これによって、コネクタ１１がコネクタ部４２から外されて、記録メディア１０が記録メディア装置２０から取り出される。記録メディア１０が記録メディア装置２０から取り出されると、図１（Ａ）に示すように、第１の蓋７１が挿入口２１を塞ぐ。
【００２４】
次に、本発明の一実施例になる記録メディア装置２０について記録メディア装置の動作は図１（Ａ）乃至（Ｆ）を参照しながら説明する。
【００２５】
図２は積み重なってドッキングしている記録メディア装置２０をフロントベゼル２２側の上方から見た斜視図、図３は記録メディア装置２０を背面側の上方から見た斜視図、図４は記録メディア装置２０を背面側の下方から見た斜視図、図５（Ａ）は積み重なってドッキングしている記録メディア装置２０の平面図、図５（Ｂ）は図５（Ａ）中、Ｂ−Ｂ線に沿う断面図、図５（Ｃ）は底面図である。Ｘ１−Ｘ２は幅方向、Ｙ１−Ｙ２は奥行き方向、Ｚ１−Ｚ２は高さ方向である。各図中、図１（Ａ）乃至（Ｇ）に示す構成部分と対応する部分には同じ符号を付す。
【００２６】
記録メディア装置２０−１、２０−２は積み重なってドッキングされた状態にある。上側の記録メディア装置２０−１は、記録メディア１０が記録メディア装置２０内に装着されている状態にあり、下側の記録メディア装置２０−２は、記録メディア１０が記録メディア装置２０内に装着されていない状態にある。
【００２７】
記録メディア装置２０は、ベース部材１００と、フロント部材１１０と、記録メディアホルダ３０と、コネクタ４０と、記録メディアホルダロック機構５０と、記録メディアホルダ移動機構６０と、蓋機構７０と、イジェクト機構１２０と、カバー部材１３０等を有する。
【００２８】
ベース部材１００は、図２及び図４に示すように、Ｚ２側に配してあり、フロント部材１１０、ロック機構５０、ホルダ移動機構６０と、蓋機構７０と、イジェクト機構１２０等を支持する。図３に示すように、ベース部材１００には、Ｙ２側の幅方向の両側及びＹ１側の幅方向の両側に、４つの脚部１０１及び受け部１０２が形成してあり、記録メディア装置２０は単独で使用される他に、図２及び図５（Ｂ）に示すように、例えば二台の記録メディア装置２０−１，２０−２が上側の記録メディア装置２０−１の脚部１０１を下側の記録メディア装置２０−２の受け部１０２に固定されて、積み重なって連結されてドッキングされた状態でも使用される。
【００２９】
図２及び図５（Ａ）、（Ｂ）に示すように、カバー部材１３０は、フロントベゼル２２の直ぐＹ１側に配置されて、Ｘ１−Ｘ２側をベース部材１００に固定されており、記録メディアホルダ３０の上側を覆っている。カバー部材１３０と装着された記録メディア１０の上面１４との間に、開いて水平となっている第１の蓋７１を収容するための空間１３１が形成してある。
【００３０】
図３に示すように、フロント部材１１０は、ベース部材１００のＹ２側に固定してあり、挿入口２１が形成してあるフロントベゼル２２と、フロントベゼル２２のうち挿入口２１の両側の位置からＹ１方向に延びている２つの腕部１１１、１１２とを有する。
【００３１】
図３及び図５（Ｂ）に示すように、記録メディアホルダ３０は、記録メディア１０に対応する寸法形状を有し、ベース部材１００の上方に位置して、腕部１１１、１１２に支持されており、腕部１１１、１１２に沿ってＹ１方向に移動可能である。この記録メディアホルダ３０は、挿入された記録メディア１０のＹ１側を保持する。コネクタ４０は、記録メディアホルダ３０のＹ１側端に、Ｙ２方向に向いて固定してある。コネクタ４０は、そのＹ１側には、別のコネクタ部４１を有する。コネクタ４０の接触端子は、コネクタ部４１にまで延びている。図３に示すように、コネクタ部４１に、フレキシブルフラットケーブル８０の端のコネクタが接続してある。フレキシブルフラットケーブル８０は、ベース部材１００のＹ１側の立ち上がっている壁部１０３の穴１０４を通ってガイドされている。
【００３２】
記録メディアホルダロック機構５０は、図３に示すように、記録メディアホルダ３０の上面に軸５１に回動可能に支持されているロックアーム５２と、ベース部材１００上に固定してあるロック板５３と、ロックアーム５２上のロックピン５４と、トーションコイルばねとを有する構成である。通常は、ロックピン５４がロック板５３に係止されており、記録メディアホルダ３０はＰ２に位置して、Ｙ１方向に動かないようにロックされている。記録メディア１０を強く押し込んでも、コネクタ４０の位置は固定されており、コネクタ１１がコネクタ部４２に確実に接続される。記録メディア１０がそのコネクタ１１がコネクタ部４２に接続されるまで挿入されると、記録メディア１０のＹ１方向の前端面１７がロックアーム５２を押して回動させ、ロックピン５４がロック板５３から外れて、ロックが解除され、記録メディアホルダ３０及びコネクタ４０は押し込まれる記録メディア１０によって押されつつＹ１方向に移動される。
【００３３】
記録メディアホルダ移動機構６０は、図４及び図５（Ｃ）に示すように、トーションコイルばね６１を使用した構成であり、一の腕部６１ａがベース部材１００の下面に植わっているピン６２に嵌合してあり、別の腕部６１ｂがホルダ３０の下面に植わっているピン６３に嵌合してある。Ｐ２に位置する記録メディアホルダ３０がＹ１方向に移動されると、トーションコイルばね６１の腕部６１ａと腕部６１ｂとの開き角度βが狭められ、Ｐ０で最も狭くなり、Ｐ０を通過すると、上記の開き角度が広くなるようになって、記録メディアホルダ３０はトーションコイルばね６１のばね力によってＹ１方向にＰ１まで移動される。Ｐ１に位置する記録メディアホルダ３０がＹ２方向に移動されると、トーションコイルばね６１の腕部６１ａと腕部６１ｂとの開き角度が狭められ、Ｐ０で最も狭くなり、Ｐ０を通過すると、上記の開き角度が広くなるようになって、記録メディアホルダ３０はトーションコイルばね６１のばね力によってＹ２方向に元のＰ２まで移動される。
【００３４】
図５（Ｂ）に示すように、蓋機構７０は、記録メディア１０が収容されていないときに挿入口２１を閉じている第１の蓋７１と、記録メディア１０が収容されているときに挿入口２１を閉じている第２の蓋７７とを有する。
【００３５】
イジェクト機構１２０は、図２に示すように、ベース部材１００のＸ１側にＹ１−Ｙ２方向に移動可能に支持されているロッド１２１と、ロッド１２１のＹ２端に固定してあり、フロントベゼル２２の開口１１３から突き出ているイジェクト釦１２２と、ベース部材１００のＹ１端側に固定してある軸部材１２３に固定してあるイジェクトレバー１２４と、イジェクトレバー１２４のＸ２方向の端のイジェクトポール１２５とを有する。ロッド１２１のＹ１方向の端は、イジェクトレバー１２４のＸ１方向の端と連結してある。イジェクトポール１２５は、ホルダ３０のＹ１方向の端と対向している。記録メディア１０が記録メディア装置２０内に装着されていない状態では、下側の記録メディア装置２０のように、イジェクト釦１２２は開口１１３内に凹んでおり、記録メディア１０が記録メディア装置２０内に装着されている状態では、上側の記録メディア装置２０のように、イジェクト釦１２２は開口１１３から突き出している。
【００３６】
イジェクト釦１２２を押すと、イジェクトレバー１２４が反時計方向に回動され、イジェクトポール１２５がホルダ３０を押してＹ２方向へ移動させる。
【００３７】
記録メディア１０を収容する場合には、操作者は、記録メディア１０を手で掴んで「ＭＥＤＩＡ  ＯＵＴ」の表示部７７ａが見えている挿入口２１内に挿入して強く押し込む操作を行う。この操作によって、コネクタ１１がコネクタ４０に接続され、続いて、ロック機構５０のロックが解除され、続いて、ホルダ移動機構６０が動作して、記録メディア１０が図５（Ｂ）の上側の記録メディア装置２０−１に示すように、内部に引き込まれて収容される。
【００３８】
情報の書き込みが終了して記録メディア１０を排出する場合には、操作者はイジェクト釦１２２を押す。この操作によって、イジェクト機構１２０が動作し、ホルダ３０がＹ２方向に移動され、途中からはホルダ移動機構６０が動作して、ホルダ３０がホルダ移動機構６０によって移動され、図３に示すように、記録メディア１０の後端部１２が挿入口２１から突き出す。
【００３９】
次に、本発明の要部をなすコネクタ４０の位置を決めるコネクタ位置決め機構２００について説明する。
【００４０】
図６はホルダ３０がＰ２に位置しているときの状態、即ち、記録メディア１０を挿入する前の状態である。図７はホルダ３０がＰ１に位置しているときの状態、即ち、記録メディア１０が装着されたときの状態である。図８及び図９は、コネクタ４０の挿入口２１に対する位置決め及び位置関係を示す。図８（Ｃ）は記録メディア１０を挿入する前、即ち、コネクタ４０がガイドレール１１１、１１２と嵌合しているときの位置決めの状態、図８（Ｅ）は記録メディア１０を挿入してコネクタ１１がコネクタ部４２に接続される直前における位置決めの状態、図９（Ｂ）はコネクタ１１がコネクタ部４２に接続されて、コネクタ４０が腕部１１１、１１２から外れた状態の位置決めの状態を示す。
【００４１】
このコネクタ位置決め機構２００は、記録メディア１０を利用してコネクタ４０の位置を決める構成である。
【００４２】
図１０に示すように、記録メディア１０は、左右の側面に、その長手方向に延びているガイド溝１８，１９を有し、挿入方向の先端にコネクタ１１を有し、且つ後端面１２は円弧形状である。
【００４３】
図６（Ｃ）に示すように、フロント部材１１０は、合成樹脂の成形部品であり、挿入口２１が形成してあるフロントベゼル２２と、フロントベゼル２２のうち挿入口２１の両側の位置からＹ１方向に延びている２つの腕部１１１、１１２とを有する。挿入口２１のサイズは記録メディア１０に対応する大きさであり、特別に大きくなってはいない。
【００４４】
腕部１１１は、図９（Ａ）に示すように、内側の面に、Ｙ１−Ｙ２方向に延びているガイドレール１１１ａを有し、Ｙ１端に位置決めのためのフォーク部１１１ｂを有する。ガイドレール１１１ａは台部１１１ｃ上に形成してある。フォーク部１１１ｂは、二つの指部１１１ｂ１，１１１ｂ２と、この間の凹部１１１ｂ３とよりなる。腕部１１２も、腕部１１１と同じ形状であり、ガイドレール１１２ａ及びフォーク部１１２ｂを有する。ガイドレール１１１ａ、１１２ａがガイド部を構成する。フォーク部１１１ｂ、１１２ｂが位置規制部を構成する。
【００４５】
ここで、腕部１１１、１１２はフロントベゼル２２と一体であるため、ガイドレール１１１ａ、１１２ａの挿入口２１に対する位置の精度は高く、フォーク部１１１ｂ、１１２ｂの挿入口２１に対する位置の精度も高い。
【００４６】
図７に示すように、記録メディアホルダ３０は、記録メディア１０に対応するサイズであり、箱のＹ２側の面と上面とが開口とされている形状を有し、底板部３２と両側の側板部３１、３３と、Ｙ１側の上板部３４とを有する。図６（Ｂ）及び図７（Ｂ）に示すように、記録メディアホルダ３０は、腕部１１１と１１２とをＺ２側から包んでおり、側板部３１、３３のＹ２側のＺ１側の部分を折り曲げて逆Ｕ字に形成してあるフック部３１ａ、３３ａが夫々腕部１１１、１１２に係止してあり、腕部１１１、１１２に支持されつつＹ１方向に移動可能である。フック部３１ａ、３３ａの間に、第１の蓋７１の軸部材７１ａが横架してある。底板部３２には、記録メディア１０の底面１５が当たる切り起こし部３２ａが形成してある。
【００４７】
図９（Ａ）に示すように、コネクタ４０は、Ｙ２方向を向いているコネクタ部４２と、Ｙ２方向を向いているコネクタ部４１と、Ｘ２側の側面から出て、Ｌ字形状をなしてＹ２方向に延びている腕部４３と、Ｘ１側の側面から出て、Ｌ字形状をなしてＹ２方向に延びている腕部４４とを有する。腕部４３及び４４の内側の面には夫々Ｙ１−Ｙ２方向に延びているガイドレール４５、４６が形成してある。コネクタ４０の接触端子は、コネクタ部４２からコネクタ部４１にまで延びている。コネクタ４０は合成樹脂の成形部品でありコネクタ部４１、４２及び腕部４３，４４は一体であり、腕部４３，４４のコネクタ部４２に対する位置の精度は高く、且つガイドレール４５、４６のコネクタ部４２に対する位置の精度も高い。
【００４８】
コネクタ４０は、記録メディアホルダ３０の底板部３２のＹ１側端の上面に固定してある。
【００４９】
ここで、フロント部材１１０、コネクタ４０、記録メディアホルダ３０は通常の寸法公差であり、コネクタ４０の記録メディアホルダ３０への取り付けの精度も通常の公差である。
【００５０】
次に、コネクタ部４２の挿入口２１に対するＺ１−Ｚ２方向の位置決めについて説明する。
【００５１】
ここで、Ｚ２１は挿入口２１のＺ１−Ｚ２方向の位置である。Ｚ４２−１、Ｚ４２−２、Ｚ４２−３は、コネクタ部４２のＺ１−Ｚ２方向の位置である。
（１）  記録メディア１０を挿入する前の状態（図６（Ａ）、図８（Ａ）、（Ｂ）、（Ｃ）参照）
記録メディアホルダ３０はＰ２に位置しており、図８（Ａ）、（Ｂ）に示すように、腕部４３，４４が夫々フォーク部１１１ｂ，１１２ｂに嵌合している。腕部４３，４４が夫々フォーク部１１１ｂ，１１２ｂに嵌合していることによって、図８（Ｃ）に示すように、コネクタ部４２の挿入口２１に対するＺ１−Ｚ２方向の位置がＺ４２−１に決められている。
【００５２】
ここで、フォーク部１１１ｂ、１１２ｂの挿入口２１に対する位置の精度が高く、腕部４３，４４のコネクタ部４２に対する位置の精度が高くため、コネクタ部４２の位置Ｚ４２−１は、挿入口２１の位置Ｚ２１に略対応する位置に位置している。
【００５３】
また、ガイドレール４５、４６は夫々ガイドレール１１１ａ、１１２ａと整列している。
（２）  記録メディア１０を挿入してコネクタ１１がコネクタ部４２に接続される直前の状態（図６（Ａ）、図８（Ａ）、（Ｄ）、（Ｅ）、（Ｆ）参照）
挿入口２１を通って挿入された記録メディア１０は、図８（Ｄ）に示すように、ガイド溝１８，１９が夫々ガイドレール１１１ａ、１１２ａに嵌合しつつ挿入される。
【００５４】
記録メディア１０が更に挿入されると、図８（Ｅ）に示すように、ガイド溝１８，１９のうちＹ１側の部分がガイドレール４５、４６に嵌合する。よって、ガイドレール４５、４６は、記録メディア１０のガイド溝１８，１９によってガイドレール１１１ａ、１１２ａと整列した状態とされ、コネクタ部４２は、図８（Ｆ）に示すように、ガイドレール１１１ａ、１１２ａを基準として記録メディア１０を介して位置Ｚ４２−２に位置決めされる。
【００５５】
よって、記録メディア１０を適宜動かしてコネクタ部４２を捜し当てる作業をしなくても、記録メディア１０を単に押し込むだけで、コネクタ１１のコネクタ部４２への接続は円滑になされる。
【００５６】
なお、記録メディア１０は底面１５を切り起こし部３２ａによってＺ１方向に押し上げられており、ガイド溝１８，１９とガイドレール１１１ａ、１１２ａとのＺ１−Ｚ２方向の遊びをＺ１方向に寄せられている。よって、コネクタ部４２の位置Ｚ４２−２は、ガイド溝１８，１９とガイドレール１１１ａ、１１２ａとのＺ１−Ｚ２方向の遊びの影響を受けず、精度良く決まっている。
（３）  コネクタ４０がＹ１方向に移動して腕部１１１、１１２から外れた状態（図７（Ａ）、図９（Ａ）乃至（Ｄ）参照）
コネクタ部４２は記録メディア側のコネクタ１１に接続されており、コネクタ部４２の位置はＺ４２−３は記録メディア１０によって決定される。
【００５７】
図９（Ｂ）に示すように、記録メディア１０のガイド溝１８，１９がガイドレール１１１ａ、１１２ａに嵌合しており、記録メディア１０の挿入口２１に対する位置は精度良く決定されている。
【００５８】
また、図９（Ｃ）に示すように、ガイドレール４５、４６がガイド溝１８，１９に嵌合しており、コネクタ４０の記録メディア１０に対する位置が決定されている。
【００５９】
よって、コネクタ部４２は、コネクタ４０が腕部１１１、１１２から外れた後も、挿入口２１に対応する位置Ｚ４２−３に位置決めされ続ける。このため、イジェクト操作されて記録メディア１０が排出されたときに、コネクタ４０の腕部４３、４４は、フォーク部１１１ｂ、１１２ｂに円滑に嵌合する。
【００６０】
なお、記録メディア１０が、図１１に符号１０Ａで示すように、側面に凸のガイドレール部１４０、１４１を有する構成である場合には、フロント部材１１０の腕部１１１Ａ、１１２Ａは夫々ガイド溝１５０，１５１を有する構成であり、コネクタ４０の腕部４３Ａ，４４Ａも夫々ガイド溝１６０，１６１を有する構成とすればよく、前記の構成と同じ効果が得られる。
【００６１】
次に、コネクタ４０の位置を決める別の実施例になるコネクタ位置決め機構２００Ｂについて説明する。
【００６２】
図１２はフロント部材１１０Ｂとホルダ３０Ｂとを分解して示す。図１３はホルダ３０Ｂがフロント部材１１０Ｂに嵌合している状態を示す。
【００６３】
このコネクタ位置決め機構２００Ｂは、位置決めのために、記録メディア１０Ｂを利用しない構成である。記録メディア１０Ｂは、左右の側面にガイド溝もガイドレールも有していない。
【００６４】
フロント部材１１０Ｂは、挿入口２１Ｂが形成してあるフロントベゼル２２Ｂと、フロントベゼル２２Ｂのうち挿入口２１Ｂの両側の位置からＹ１方向に延びている２つの腕部１１１Ｂ、１１２Ｂとを有する。腕部１１１Ｂ、１１２Ｂの内側に、ガイドレール１７０，１７１が形成してある。
【００６５】
記録メディアホルダ３０Ｂは、底板部１８０と両側の側板部１８１，１８２とＹ１側の背面板部１８３とを有する略箱形状であり、コネクタ４０Ｂが背面板部１８３に固定されて、内部にＹ２方向を向いて設けてある。側板部１８１，１８２の外側の面には、ガイド溝１８４，１８５が形成してある。図１３（Ａ），（Ｃ）に示すように、ホルダ３０Ｂは、ガイド溝１８４，１８５を夫々ガイドレール１７０，１７１に嵌合されて、腕部１１１Ｂ、１１２Ｂに支持されて、腕部１１１Ｂ、１１２Ｂの間に収まっており、Ｙ１−Ｙ２方向に移動可能である。
【００６６】
図１３（Ｂ）に示すように、Ｚ１−Ｚ２方向上に関して、コネクタ４０Ｂの位置は、Ｙ１−Ｙ２方向上どの位置に位置していても、腕部１１１Ｂ、１１２Ｂのガイドレール１７０，１７１によって決められて、Ｚ４０Ｂに定められる。この位置Ｚ４０Ｂは、挿入口２１Ｂの位置Ｚ２１Ｂに対応する位置である。また、位置Ｚ４０Ｂは記録メディア１０Ｂの寸法公差の影響も受けない。
【００６７】
よって、記録メディア１０Ｂを単に押し込むだけで、先端のコネクタ１１Ｂのコネクタ４０Ｂへの接続は円滑になされる。
【００６８】
なお、上記のコネクタ４０Ｂの形状を工夫して、ホルダ３０Ｂを無くして、コネクタ４０Ｂ自身が、ガイドレール１７０，１７１に嵌合されて、腕部１１１Ｂ、１１２Ｂに支持されて、腕部１１１Ｂ、１１２Ｂの間に収まって、Ｙ１−Ｙ２方向に移動可能であるように構成してもよい。
【００６９】
【発明の効果】
上述の如く、本発明によれば、コネクタが移動可能に設けてあり、フロント部材の挿入口を通して挿入された記録メディアがコネクタに接続され、その後の記録メディアの挿入に応じてコネクタが移動される記録メディア装置において、コネクタは、フロント部材と一体の腕部のガイド部によって案内されつつ挿入された記録メディアを介して挿入口に対して位置決めされる構成、或いは、上記腕部によって挿入口に対して位置決めされる構成としてあるため、フロントベゼルにベース部材が取り付けてあり、記録メディアホルダがベース部材上に支持されており、コネクタが記録メディアホルダに取り付けてある構成である従来の構成に比べて、部品の数が少なく、よって、部品の公差及び組立てのばらつきがコネクタの挿入口に対する位置の精度に及ぼす影響の程度を小さくすることが出来、よって、部品の公差を特別に厳しくしたり、組立てのばらつきを特別に厳しく抑えたりすることをしなくても、移動するコネクタの挿入口に対する位置の精度を従来に比べて高くすることが出来る。これによって、従来のように挿入口を特別に大きくしなくても、従来に比べて、挿入口を通して挿入された記録メディアがコネクタと接続される動作が円滑になされるように出来る。また、記録メディアの全体が収容される構成の記録メディア装置にあっては、記録メディアが挿入口を通して排出される動作が従来に比べて円滑になされるように出来る。
【図面の簡単な説明】
【図１】本発明の一実施例になる記録メディア装置の概略を示す図である。
【図２】積み重なってドッキングしている本発明の一実施例になる記録メディア装置をフロントベゼル側の上方から見た斜視図である。
【図３】記録メディア装置を背面側の上方から見た斜視図である。
【図４】記録メディア装置を背面側の下方から見た斜視図である。
【図５】記録メディア装置を示す図である。（Ａ）は平面図、（Ｂ）は（Ａ）中、Ｂ−Ｂ線に沿う断面図、（Ｃ）は底面図である。
【図６】ホルダがＰ２に位置しているときの状態を示す図である。（Ｂ）は（Ａ）中、Ｂ−Ｂ線に沿う断面図である。
【図７】ホルダがＰ１に位置しているときの状態を示す図である。
【図８】図６の状態におけるコネクタ位置決め機構及びこの機構の各部の状態を示す図である。
【図９】図７の状態におけるコネクタ位置決め機構及びこの機構の各部の状態を示す図である。
【図１０】記録メディアを示す図である。
【図１１】記録メディアと腕部との嵌合の変形例を示す図である。
【図１２】別の実施例になるコネクタ位置決め機構を分解して示す図である。
【図１３】図１２のコネクタ位置決め機構の記録メディア挿入前の状態を示す図である。
【図１４】従来の記録メディア装置の概略構成を示す図である。
【符号の説明】
１０、１０Ａ、１０Ｂ  記録メディア
１１  コネクタ
１８，１９  ガイド溝
２０  記録メディア装置
２１、２１Ｂ  挿入口
２２  フロントベゼル
３０、１８０  記録メディアホルダ
３１  側板部
４０  コネクタ
４２  コネクタ部
４３，４４  腕部
４５，４６  ガイドレール
５０  記録メディアホルダロック機構
６０  記録メディアホルダ移動機構
７０  蓋機構
７１  第１の蓋
７５  蓋組立て体
７６  アーム板部材
７７  第２の蓋
１００  ベース部材
１０６  フランジ部
１１０、１１０Ｂ  フロント部材
１１１，１１２、１１１Ｂ、１１２Ｂ  腕部
１１１ａ，１１２ａ、１７０，１７１  ガイドレール
１１１ｂ，１１２ｂ  フォーク部
１２０  イジェクト機構
１４０，１４１  ガイドレール部
１５０，１５１、１６０、１６１  ガイド溝
１７０，１７１  ガイドレール
１８４，１８５  ガイド溝
２００，２００Ｂ  コネクタ位置決め機構
【図１】
0003983531.tif 000002
【図２】
0003983531.tif 000003
【図３】
0003983531.tif 000004
【図４】
0003983531.tif 000005
【図５】
0003983531.tif 000006
【図６】
0003983531.tif 000007
【図７】
0003983531.tif 000008
【図８】
0003983531.tif 000009
【図９】
0003983531.tif 000010
【図１０】
0003983531.tif 000011
【図１１】
0003983531.tif 000012
【図１２】
0003983531.tif 000013
【図１３】
0003983531.tif 000014
【図１４】
0003983531.tif 000015